(57)【特許請求の範囲】
【請求項１】
基部の上端部に幅方向両側に向けて延出する鍔部を形成したカバー目地部材と、矩形状の板状体からなる建築用パネルの一側辺の長さと略同長さとされた中間目地部材とを用いて、該建築用パネル間に目地を形成して、該建築用パネルを施工下地に取付ける構造であって、
前記建築用パネルの隣接する前記一側辺の端面間に前記中間目地部材を介在させて一方向に沿って配置された複数枚の建築用パネル同士が、他方向に沿って対向されて配置されるとともに、これら複数枚の建築用パネル同士の他側辺の端面間には、前記カバー目地部材の前記基部が介在されており、
前記中間目地部材は、表面が前記建築用パネルの表面と略面一となるように配設され、
前記カバー目地部材の前記鍔部の裏面が、これら複数枚の建築用パネル及び前記中間目地部材のそれぞれ前記基部側の端部表面に当接あるいは近接して対面配置されて、これら複数枚の建築用パネル及び前記中間目地部材のそれぞれ前記基部側の端部表面が前記カバー目地部材の前記鍔部で隠されるようにしていることを特徴とする建築用パネルの取付構造。
【請求項２】
請求項１において、
前記目地は、前記カバー目地部材と前記中間目地部材とで格子状に形成されていることを特徴とする建築用パネルの取付構造。
【請求項３】
請求項１または２において、
前記カバー目地部材は、前記対向配置された複数枚の建築用パネル同士の間の全長に亙って配設される長さとされていることを特徴とする建築用パネルの取付構造。
【請求項４】
請求項１乃至３のいずれか１項において、
前記カバー目地部材の前記基部の下端部には、係合部が更に形成されるとともに、前記施工下地には、前記対向配置された複数枚の建築用パネル同士の間に沿って目地受け部材が更に固着されており、
前記カバー目地部材の係合部を前記目地受け部材に着脱可能に係合保持させる構造にしていることを特徴とする建築用パネルの取付構造。
【請求項５】
請求項１乃至４のいずれか１項において、
前記対向配置された複数枚の建築用パネルの最外周端部に沿って四周に配設される見切り部材を更に備えており、
前記見切り部材は、前記最外周端部の端面に沿うように立設された立ち上がり壁部と、該立ち上がり壁部の上端部に内方に向けて延出する突片部とを有し、前記最外周端部表面と、前記カバー目地部材及び前記中間目地部材のそれぞれ最外方に位置する端部表面とが該見切り部材の該突片部で隠されるようにしていることを特徴とする建築用パネルの取付構造。
【請求項６】
請求項５において、
前記見切り部材の下端部には、係合部が更に形成されるとともに、前記施工下地には、前記最外周端部に沿って見切り受け部材が更に固着されており、
前記見切り部材の係合部を前記見切り受け部材に着脱可能に係合保持させる構造にしていることを特徴とする建築用パネルの取付構造。
【発明の詳細な説明】
【技術分野】
【０００１】
本発明は、建築用パネル間に目地を形成して、建築用パネルを施工下地に取付ける建築用パネルの取付構造に関する。
【背景技術】
【０００２】
従来より、住宅等の建物の内壁や外壁、天井は、石膏ボードや合板捨張下地等の下地ボード、あるいは胴縁や受け桟、天井野縁等の下地桟等の施工下地に、複数枚の内装パネルや外装パネル、天井パネル等の建築用パネルを並列配置して取付けて壁面あるいは天井面を構成するようにしている。
このような建築用パネルの接合部の構造としては、建築用パネルの端部に雄実及び雌実を形成して互いに接合する本実接合や合抉り接合等の実接合による構造が知られている。
あるいは、他の接合部の構造としては、目地溝を形成するように一定の隙間をパネル間に形成し、該目地溝にシリコーンシーラント等のコーキング材（シーリング材）を充填して目地接合する構造が知られている。
【０００３】
前者の実接合による接合構造によれば、簡易に建築用パネルを接合できるものではあるが、複数枚の建築用パネルを一方向のみではなく、他方向にも並設するような場合には、建築用パネルの寸法誤差や取付誤差によりパネル間に隙間等が生じたり、パネル間に形成される接合部に位置ズレ等が生じたりするという問題があった。特に、施工される面に対して建築用パネルが比較的、小さい寸法とされた小モジュールのものを一方向及び他方向に並設する場合には、上記した問題がより一層、顕著に現れる。
後者の目地接合では、目地幅を均一にすることが困難であり、熟練した技術を要するとともに、コーキング材等を使用して施工するいわゆる湿式施工によるため、施工工程が煩雑なものであった。
【０００４】
そこで、近時においては、建築用パネル間に目地幅を一定にするための目地受け部材を介在させ、該目地受け部材により形成されたパネル間の隙間に乾式目地を挿入して取付ける構造としたものが提案されている。
例えば、下記特許文献１では、建築、構築物に用いる乾式壁材の長手方向における突合せ、すなわち縦目地部等の端部構造が提案されている。
この端部構造は、鉄骨下地に断面ハット形状とされた敷目板（目地受け部材）の釘打設片を固定具で打設して固定し、釘打設片から上方に突出した２本のガイド片のそれぞれに乾式壁材の端部を当接させるようにしている。これにより、乾式壁材の端部間には、一定の隙間が形成される。また、この隙間に無機シートを挿入し、更に、該隙間に嵌合部材を挿入して固定するとともに、該嵌合部材に乾式目地材を嵌合して縦目地を形成するようにしている。
【特許文献１】特開平８−１５８５９３号公報（図１参照）
【発明の開示】
【発明が解決しようとする課題】
【０００５】
しかし、上記特許文献１に記載の端部構造は、長手方向における縦目地部の美観性等を向上させるものではあるが、他方向においては雌型連結部と雄型連結部とで連結する構造とされている。従って、上記したように一方向及び他方向に沿ってそれぞれ複数枚の建築用パネルを並設する場合には、建築用パネル間の接合部位により形成される目地に位置ズレが生じたり、パネルと目地部材との間やパネル同士の間に隙間等が生じたりする恐れがあった。特に、前記したように、施工される面に対して建築用パネルが比較的、小さい寸法とされた小モジュールのものを一方向及び他方向に並設する場合には、上記した問題がより一層、顕著に現れる。
また、上記したように施工工程も敷目板の固定、無機シート及び嵌合部材の挿入、乾式目地材の嵌合等の多くの工程を必要とし、施工工程の更なる簡略化が望まれる。
【０００６】
本発明は、上記実情に鑑みなされたものであり、建築用パネル間に形成される目地の意匠性を向上させるとともに、施工も容易な新規な構造の建築用パネルの取付構造を提供することを目的としている。
【課題を解決するための手段】
【０００７】
前記目的を達成するために、本発明に係る建築用パネルの取付構造は、基部の上端部に幅方向両側に向けて延出する鍔部を形成したカバー目地部材と、矩形状の板状体からなる建築用パネルの一側辺の長さと略同長さとされた中間目地部材とを用いて、該建築用パネル間に目地を形成して、該建築用パネルを施工下地に取付ける構造であって、前記建築用パネルの隣接する前記一側辺の端面間に前記中間目地部材を介在させて一方向に沿って配置された複数枚の建築用パネル同士が、他方向に沿って対向されて配置されるとともに、これら複数枚の建築用パネル同士の他側辺の端面間には、前記カバー目地部材の前記基部が介在されており、前記中間目地部材は、表面が前記建築用パネルの表面と略面一となるように配設され、前記カバー目地部材の前記鍔部の裏面が、これら複数枚の建築用パネル及び前記中間目地部材のそれぞれ前記基部側の端部表面に当接あるいは近接して対面配置されて、これら複数枚の建築用パネル及び前記中間目地部材のそれぞれ前記基部側の端部表面が前記カバー目地部材の前記鍔部で隠されるようにしていることを特徴とする。
【０００８】
本発明の前記建築用パネルの取付構造においては、前記目地を前記カバー目地部材と前記中間目地部材とで格子状に形成するようにしてもよい。
また、本発明の前記建築用パネルの取付構造においては、前記カバー目地部材を、前記対向配置された複数枚の建築用パネル同士の間の全長に亙って配設される長さとしてもよい。
【０００９】
また、本発明の前記建築用パネルの取付構造においては、前記カバー目地部材の前記基部の下端部に、係合部を更に形成するとともに、前記施工下地に、前記対向配置される複数枚の建築用パネル同士の間に沿って目地受け部材を更に固着して、前記カバー目地部材の係合部を前記目地受け部材に着脱可能に係合保持させる構造にしてもよい。
【００１０】
また、本発明の前記建築用パネルの取付構造においては、前記対向配置された複数枚の建築用パネルの最外周端部に沿って四周に配設される見切り部材を更に備えたものとし、該見切り部材を、前記最外周端部の端面に沿うように立設された立ち上がり壁部と、該立ち上がり壁部の上端部に内方に向けて延出する突片部とを有したものとし、前記最外周端部表面と、前記カバー目地部材及び前記中間目地部材のそれぞれ最外方に位置する端部表面とを該見切り部材の該突片部で隠すようにしてもよい。
上記見切り部材を四周に配設する構造においては、前記見切り部材の下端部に、係合部を更に形成するとともに、前記施工下地に、前記最外周端部に沿って見切り受け部材を更に固着して、前記見切り部材の係合部を前記見切り受け部材に着脱可能に係合保持させる構造にしてもよい。
【発明の効果】
【００１１】
本発明に係る前記建築用パネルの取付構造では、カバー目地部材と、中間目地部材とを用いて、該建築用パネル間に目地を形成するようにしているので、上記したような湿式施工のものと比べて、施工工程の簡略化が図れる。
また、建築用パネルの隣接する一側辺間には、中間目地部材を介在させるようにしているので、一側辺間に中間目地部材を介在させて一方向に沿って順次、施工することで、建築用パネルの隣接する一側辺と中間目地部材との間に、隙間等が形成されることがない。
【００１２】
さらに、前記のように中間目地部材を介在させて一方向に沿って配置された複数枚の建築用パネル同士が、他方向に沿って対向されて配置されるとともに、これら複数枚の建築用パネル同士の間には、前記カバー目地部材の前記基部が介在されており、これら複数枚の建築用パネル及び前記中間目地部材のそれぞれ前記基部側の端部表面が前記カバー目地部材の前記鍔部で隠されるようにしているので、該カバー目地部材と該中間目地部材とで形成された目地の意匠性を高めることができる。すなわち、前記カバー目地部材の基部と建築用パネルの前記基部側の端部との間に、建築用パネルの寸法誤差や取付誤差等によって隙間等が形成された場合にも、これら対向配置された複数枚の建築用パネルのそれぞれ基部側の端部表面がカバー目地部材の鍔部によって隠されてカバーされるので、このような隙間が目立つことがない。
また、前記一側辺間に介在させた中間目地部材の前記基部側の端部と建築用パネルの前記基部側の端部との間に位置ズレ等が生じている場合にも、これら端部の表面が前記カバー目地部材によって、隠されるため、そのような中間目地部材と建築用パネルとの位置ズレも目立たず、よって、意匠性に優れたものとなる。
【００１３】
本発明に係る前記建築用パネルの取付構造において、前記目地を前記カバー目地部材と前記中間目地部材とで格子状に形成するようにすれば、格子状に形成された目地の交差部における意匠性を高めることができる。すなわち、このように、格子状に目地を形成する場合には、特に、目地の交差部において、中間目地部材同士の位置ズレが目立ち易くなる。上記構成とされた本発明によれば、格子状の目地とした場合にも、他方向に沿って対向配置された中間目地部材の端部間に、カバー目地部材の基部が配置される。従って、該カバー目地部材の鍔部によって、対向配置される中間目地部材の端部表面が隠され、これら対向配置された中間目地部材同士に位置ズレ等があった場合にも、そのような位置ズレを外観上、軽減することができ、よって、目地の交差部の意匠性を高めることができる。
【００１４】
本発明に係る前記建築用パネルの取付構造において、前記カバー目地部材を、前記対向配置された複数枚の建築用パネル同士の間の全長に亙って配設される長さのものとすれば、一方向の目地が通ったような外観となり、意匠性をより高めることができる。
また、複数枚の建築用パネルを一方向及び他方向にそれぞれ並設する場合においては、該一方向に沿って中間目地部材を介在させて並設された建築用パネル及び中間目地部材同士の他方向に沿う取付誤差や寸法誤差等による位置ズレや隙間を、上記一方向に沿ってそれぞれ配置されるカバー目地部材によって、該カバー目地部材が配置される毎にリセットでき、それら位置ズレや隙間が累積しないため、該他方向における位置ズレや隙間が大きくなり難い。
【００１５】
本発明に係る前記建築用パネルの取付構造において、前記カバー目地部材の前記基部の下端部に、係合部を更に形成するとともに、前記施工下地に、前記対向配置される複数枚の建築用パネル同士の間に沿って目地受け部材を更に固着して、前記カバー目地部材の係合部を前記目地受け部材に着脱可能に係合保持させる構造にすれば、カバー目地部材の施工工程を簡略化できるとともに、上記したように対向配置される複数枚の建築用パネル同士の位置決めを容易に行える。
すなわち、前記対向配置される複数枚の建築用パネル同士の間に沿って目地受け部材を固着するようにしているので、該目地受け部材によって、これら対向配置される複数枚の建築用パネル同士の位置決めを容易に行える。また、該対向配置される複数枚の建築用パネル同士の間に沿って固着された目地受け部材に対して前記カバー目地部材の係合部を係合させてカバー目地部材の取付が行えるので、カバー目地部材の施工工程の簡略化が図れる。
【００１６】
さらに、例えば、建築用パネルの一部に不良が生じ、該建築用パネルを交換したいような場合や模様替えのために建築用パネルを交換したいような場合には、カバー目地部材の鍔部が建築用パネルの前記基部側の端部表面を隠すようにしているため、該鍔部が邪魔となり建築用パネルを脱離させるには、カバー目地部材を破壊する必要が生じる恐れがある。上記構成とされた本発明によれば、カバー目地部材が着脱可能に目地受け部材に係合保持される構造としているので、そのような場合にもカバー目地部材を目地受け部材から脱離でき、カバー目地部材を破壊する必要がない。よって、建築用パネルの交換後に、カバー目地部材を再利用できる。
また、カバー目地部材と目地受け部材とを別部材とすることで、表面側に露出しない目地受け部材は、単色のものとし、カバー目地部材を種々用意することで、趣向に応じたカバー目地部材を低コストで提供できる。
また、カバー目地部材と目地受け部材とを別部材とすることで、例えば、異なる厚さの建築用パネルに対して施工されるような場合にも、いずれか一方を該厚さに応じて種々揃えることで、一方の部材は同じものとでき、汎用性に優れたものとなる。
【００１７】
本発明に係る前記建築用パネルの取付構造において、前記対向配置された複数枚の建築用パネルの最外周端部に沿って四周に配設される見切り部材を更に備えたものとし、該見切り部材を、前記最外周端部の端面に沿うように立設された立ち上がり壁部と、該立ち上がり壁部の上端部に内方に向けて延出する突片部とを有したものとし、前記最外周端部表面と、前記カバー目地部材及び前記中間目地部材のそれぞれ最外方に位置する端部表面とを該見切り部材の該突片部で隠すようにすれば、以下のような効果を奏する。
すなわち、壁面や天井面等に部分的に前記建築用パネルを施工する場合に、それら施工された建築用パネルの最外周端部が前記見切り部材の立ち上がり壁部によって覆われるので、意匠性に優れたものとなる。また、カバー目地部材及び中間目地部材のそれぞれ最外方に位置する端部表面と、建築用パネルの前記最外周端部表面とが見切り部材の突片部によって隠されるので、これら端部において、取付誤差や寸法誤差等による位置ズレや隙間等が形成された場合にも、それらが目立つことがなく、意匠性に優れたものとなる。
【００１８】
上記見切り部材を四周に配設する構造において、前記見切り部材の下端部に、係合部を更に形成するとともに、前記施工下地に、前記最外周端部に沿って見切り受け部材を更に固着するようにし、前記見切り部材の係合部を前記見切り受け部材に着脱可能に係合保持させる構造にすれば、以下のような効果を奏する。
すなわち、異なる厚さの建築用パネルに対して施工されるような場合にも、見切り部材及び見切り受け部材のいずれか一方を、該厚さに応じて種々揃えることで、一方の部材は同じものとでき、汎用性に優れたものとなる。
また、前記のように建築用パネルを交換したり、カバー目地部材を脱離させたりする場合には、見切り部材が着脱できるので、見切り部材の突片部が邪魔とならず、容易にカバー目地部材や建築用パネルを着脱できる。また、そのような場合にも見切り部材を破壊するような必要がなく再利用できる。
【発明を実施するための最良の形態】
【００１９】
以下に本発明の最良の実施の形態について、図面に基づいて説明する。
図１は、第１実施形態に係る建築用パネルの取付構造を用いた建築用パネルの施工状態を示す概略正面全体図と、該全体図の一点鎖線内を概略的に拡大して示す一部破断正面図、図２（ａ）〜（ｃ）は、いずれも同実施形態に係る建築用パネルの取付構造を説明するための説明図であり、（ａ）は、図１におけるＸ−Ｘ線矢視概略断面図、（ｂ）は、図１におけるＹ−Ｙ線矢視概略断面図、（ｃ）は、図１におけるＺ−Ｚ線矢視概略断面図、図３（ａ）〜（ｄ）は、いずれも同実施形態に係る建築用パネルの取付構造を説明するための説明図であり、（ａ）は、図１におけるＶ１−Ｖ１線矢視概略断面図、（ｂ）は、図１におけるＶ２−Ｖ２線矢視概略断面図、（ｃ）は、図１におけるＷ１−Ｗ１線矢視概略断面図、（ｄ）は、図１におけるＷ２−Ｗ２線矢視概略断面図である。
【００２０】
尚、図３（ｃ），（ｄ）では、腰壁の断面は図示省略している。
また、以下の各実施形態では、壁面に対して建築用パネルを取付けた例を示し、それに応じて縦、横の方向を示しているが、天井面に対して建築用パネルを取付けた場合には、その方向は限定されない。
また、以下の各実施形態で示す上下方向は、施工下地に対して対面した状態における手前側を上方、施工下地側を下方として説明している。すなわち、天井面に対して施工された際には、上下の方向が逆転されて把握される。
【００２１】
本実施形態に係る建築用パネルの取付構造Ａは、図１に示すように、施工下地１に対して部分的に施工した例を示しており、複数枚（図例では１２枚）の建築用パネル１０を縦横にそれぞれ並列配置して、施工下地１にこれら建築用パネル１０を取付施工している。また、これら建築用パネル１０間には、カバー目地部材２０と、中間目地部材３０とを配置して、格子状に目地を形成するようにしている。
【００２２】
すなわち、本実施形態に係る建築用パネルの取付構造Ａは、図１の一点鎖線内の拡大図に示すように、建築用パネル１０の隣接する縦辺端部端面１１，１１間に中間目地部材３０を介在させて一方向（横方向）に沿って複数枚の建築用パネル１０（＃１），１０（＃２）をそれぞれ並設している。また、これら複数枚の建築用パネル１０（＃１），１０（＃２）同士は、他方向（縦方向）に沿って対向されて配置されている。また、これら複数枚の建築用パネル１０（＃１），１０（＃２）同士の間ｓｐには、カバー目地部材２０の後記する基部２１が介在されており、これら複数枚の建築用パネル１０（＃１），１０（＃２）及び中間目地部材３０のそれぞれ基部２１側の端部表面１２ａ，３２ａがカバー目地部材２０の後記する鍔部２２で隠されるようにしている。
さらに、本実施形態では、複数枚の建築用パネル１０（＃１），１０（＃２）同士のそれぞれ中間目地部材３０が縦方向に沿って略同一直線上に配置されるようにして、カバー目地部材２０と中間目地部材３０とで目地を格子状に形成するようにしている。
これらカバー目地部材２０及び中間目地部材３０は、本実施形態では、それぞれカバー目地受け部材２５及び中間目地受け部材３５に着脱可能に係合保持されている。
【００２３】
また、縦横にそれぞれ並列配置された複数枚の建築用パネル１０の最外周端部に沿って縦見切り部材４０及び横見切り部材５０を配設するようにしている。これら縦見切り部材４０及び横見切り部材５０は、本実施形態では、それぞれ縦見切り受け部材４５及び横見切り受け部材５５に着脱可能に係合保持されている。
また、これら見切り部材４０，５０の四隅の突合せ部には、コーナーキャップ６が該突合せ部を覆うように、それぞれ固着されている。
尚、図１において、符号２は、天井面、符号３は、腰壁を示している。
【００２４】
以下、上記した建築用パネルの取付構造Ａを構成する各部材の具体的構成について、図２及び図３に基づいて説明する。
上記施工下地１は、本実施形態では、内壁面１としている。図１のように、後付的（後施工的）に、壁仕上げ面に対して部分施工するようにしてもよく、あるいは、壁仕上げ面に壁クロスや壁紙等が貼着されている場合には、それらを剥離して、石膏ボードや合板捨張下地等の下地ボードを露出させてそれらを施工下地１としてもよい。または、新築時等においては、壁クロスや壁紙等が貼着される前の下地ボードを施工下地１としてもよい。あるいは胴縁や受け桟、天井野縁等の下地桟等を施工下地１としてもよい。
また、内壁面１に限らず、天井面２や外壁面（不図示）を施工下地１としてもよい。
さらに、部分施工ではなく、内壁面１や、天井面２、外壁面に対して全面施工するようにしてもよい。
【００２５】
上記建築用パネル１０のそれぞれは、矩形状の板状体からなり、例えば、木質系材料や合成樹脂系材料、窯業系材料、金属系材料等から形成されている。
この建築用パネル１０の縦辺端部両端面１１及び横辺端部両端面１２には、後記する中間目地受け部材３５の雇い実部３９，３９、横見切り受け部材５５の雄実部５９及びカバー目地受け部材２５の雇い実部２９，２９、縦見切り受け部材４５の雄実部４９がそれぞれ嵌合する凹溝状の雌実部１３が形成されている。
【００２６】
上記木質系材料としては、無垢の木材、集成材、合板、パーティクルボード、木質繊維板等や、これらを基材として、突き板や樹脂シート等の化粧シート材を更に貼着したものや、該基材の表面に化粧塗装を施したものが挙げられる。
上記合成樹脂系材料としては、熱硬化性樹脂材、熱可塑性樹脂材等が挙げられる。
上記窯業系材料としては、レンガ、瓦、セラミックスや、セメントを主成分として補強繊維や無機質充填材を含有したセメント系の窯業系材料等が挙げられる。
上記金属系材料としては、アルミ材や、ステンレス材等が挙げられる。
上記樹脂系材料、窯業系材料及び金属系材料は、それぞれ、上記木質系材料と同様、これらを基材として、更に突き板や樹脂シート等の化粧シート材を更に貼着したものや、該基材の表面に化粧塗装を施したものとしてもよい。
【００２７】
上記建築用パネル１０は、それぞれ接着剤４で内壁面１に接着される。
接着剤４としては、建築用パネル１０の材質及び施工下地１の材質に応じて、適宜、選択可能であり、例えば、ユリア樹脂や、メラミン樹脂、ユリア・メラミン共縮合樹脂、フェノール樹脂、エポキシ樹脂、ウレタン樹脂などの熱硬化性樹脂を含有する接着剤、あるいは、酢酸ビニル樹脂や、合成ゴム、ポリ乳酸、澱粉、アクリル樹脂等を含有する水性接着剤又はエマルジョン接着剤などが挙げられる。
【００２８】
上記建築用パネル１０は、種々の機能性が付与された機能性パネルとしてもよい。機能性パネルとしては、例えば、調湿パネルや吸音パネル、防音パネル、防汚パネル、抗菌パネル等が挙げられる。
あるいは照明装置を内蔵した照明パネルや、棚板を手前側に向けてパネルに突設した棚板パネル、前面開口箱形状の収納箱をパネルに付設した収納パネルとしてもよい。これら照明装置や棚板、収納箱は、パネルに対して着脱可能に設けるようにしてもよい。あるいは、棚板や収納箱をパネルと一体成形するようにしてもよい。
上記のように、建築用パネル１０を内装用の機能性パネルとした場合には、施工箇所や施工範囲（施工枚数）を適宜、選択・変更することで、例えば、調湿パネルを施工する場合には、室内の調湿機能が適切となるように調整できたり、吸音パネルを施工する場合には、室内の音響効果が適切となるように調整できたりする。
また、上記した種々の建築用パネル１０自体を施工下地（天井面、壁面）１に対して着脱可能とする構成としてもよい。すなわち、接着剤４で接着せずに、施工下地１側、及び建築用パネル１０の裏面側にそれぞれ係合部を設けて、容易に着脱できるようにしてもよい。
【００２９】
また、建築用パネル１０の形状は、図例のような略正方形状に限らず、長方形状のものとしてもよい。
さらに、建築用パネル１０の大きさは、施工箇所等に応じて適宜、設定可能であり、一辺が１００ｍｍ〜５００ｍｍ程度の比較的小モジュールのもの、一辺が５００ｍｍ〜９００ｍｍ程度の中モジュールのもの、あるいは、一辺が９００ｍｍ〜１８００ｍｍ程度の比較的大モジュールのものとしてもよい。
【００３０】
上記カバー目地部材２０は、図２（ａ）、（ｂ）に示すように、縦断面形状が略Ｉ形状（略倒Ｈ形状）の基部２１と、該基部２１の上端部に幅方向両側に向けて延出する鍔部２２と、該基部２１の下端部から下方に向けて突設された係合突部２３とを有している。該係合突部２３の基端部近傍には、後記するカバー目地受け部材２５の係合凹部２８ａに形成された凹条２８ｂと係合する突条２３ａが長手方向に沿って幅方向両側に向けて突設されている。
該カバー目地部材２０の基部２１の幅方向両外側面が、建築用パネル１０の横辺端部端面１２及び中間目地部材３０の隙間側端部端面３２に対面して、当接あるいは近接配置されている。
また、上記鍔部２２の裏面が建築用パネル１０の横辺端部表面１２ａ及び中間目地部材３０の隙間側端部表面３２ａに対面して、当接あるいは近接配置されている。
【００３１】
上記カバー目地部材２０は、本実施形態では、アルミニウム材から押出成形や射出成形、プレス成形あるいは切削加工等によって、一体的に成形され、図１に示すように、長尺に形成されている。該カバー目地部材２０の長手方向に沿う長さは、中間目地部材３０を縦辺端部端面１１間にそれぞれ介在させて横方向に並設された複数枚の建築用パネル１０（＃１），１０（＃２）同士の間ｓｐの全長に亙って配設される長さとされている。すなわち、縦方向に沿って対向配置させた複数枚の建築用パネル１０（＃１），１０（＃２）同士の横辺端部端面１２間の全長に亙って配設される長さとされている。
また、カバー目地部材２０は、本実施形態では、材料費を低減すべく、基部２１の適宜箇所に長手方向に沿って凹所を形成するようにして押出成形によって形成されている。
【００３２】
尚、カバー目地部材２０の材質は、上記アルミニウム材に限られず、ステンレス材等の他の金属系材あるいはポリプロピレンや、ＡＢＳ、ポリエチレンテレフタレート、ポリカーボネート、ＰＰＳ等の合成樹脂系材としてもよい。
また、カバー目地部材２０の長手方向両端部に切欠を形成するように、カバー目地部材２０の下方部が、図３（ｂ）に示すように、複数枚の建築用パネル１０から構成される集合体の左右端部にそれぞれ配設される後記する縦見切り受け部材４５の雄実部４９の両内方への突出度に合わせて、その上方部よりも短尺となるように形成されている。
【００３３】
上記カバー目地受け部材２５は、図２（ａ）、（ｂ）に示すように、釘（フィニッシュネイル、ステイプル等）や、ビス等の固着具５（図５（ａ）参照）が止着されて内壁面１に固着される幅方向両側に向けてそれぞれ延出する固定板状部２７及び固定短片２６と、これら固定板状部２７及び固定短片２６から上方に向けて立設された基台部２８と、該基台部２８に凹設された上方に向けて開口する係合凹部２８ａと、該基台部２８の上端部に幅方向両側に向けて延出する雇い実部２９，２９とを有している。
上記係合凹部２８ａの上端部近傍両内側面には、上記カバー目地部材２０の係合突部２３に設けられた突条２３ａが係合する凹条２８ｂが長手方向に沿って凹設されている。
【００３４】
上記基台部２８の上端部近傍の幅方向両外側面には、上記カバー目地部材２０の係合突部２３が係合凹部２８ａへ嵌め入れられる際及び係合凹部２８ａから脱離される際の基台部２８の弾性変形に伴う幅方向への変形を許容するための逃げ凹所が形成されている。
また、上記基台部２８の下端部近傍の幅方向両外側面が、建築用パネル１０の横辺端部端面１２及び中間目地部材３０の隙間側端部端面３２に対面して、当接あるいは近接配置されている。
また、上記カバー目地受け部材２５の雇い実部２９，２９が、対向配置される建築用パネル１０のそれぞれ横辺端部端面１２に形成された雌実部１３に嵌合される。
【００３５】
上記カバー目地受け部材２５の基台部２８の下端部近傍の幅寸法は、前記カバー目地部材２０の基部２１の幅寸法と略同寸法とされている。
このカバー目地受け部材２５の基台部２８が、建築用パネル１０を後記するように内壁面１に取付施工する際に、内壁面１に固着されることで、横方向に配置される複数枚の建築用パネル１０（＃１），１０（＃２）を後記するように縦方向に沿って対向配置させる際の位置決め手段として機能する。また、それら対向配置された複数枚の建築用パネル１０（＃１），１０（＃２）同士の間ｓｐを、基台部２８の幅寸法で規定し、上記カバー目地部材２０の基部２１とともに、該基台部２８が横辺端部端面１２間に介在される目地部として機能する。
【００３６】
上記カバー目地受け部材２５は、本実施形態では、上記したような合成樹脂系材料から押出成形や射出成形、切削加工等によって、一体的に成形され、上記カバー目地部材２０と同様、長尺に形成されている。
尚、カバー目地受け部材２５の材質は、合成樹脂系材に限られず、上記したような金属系材としてもよい。
また、カバー目地受け部材２５の長手方向に沿う長さは、図３（ｂ）に示すように、複数枚の建築用パネル１０からなる集合体の左右端部にそれぞれ配設される後記する縦見切り受け部材４５の固定板状部４７の両内方側への延出度に合わせて、カバー目地部材２０よりも短尺に形成されている。
【００３７】
上記中間目地部材３０は、図２（ｃ）に示すように、縦断面形状が略矩形状の基部３１と、該基部３１の下端部から下方に向けて突設された係合突部３３とを有している。該係合突部３３の基端部近傍には、後記する中間目地受け部材３５の係合凹部３８ａに形成された凹条３８ｂと係合する突条３３ａが長手方向に沿って幅方向両側に向けて突設されている。
この中間目地部材３０の長さは、建築用パネル１０の縦辺の長さと略同長さとされている。
該中間目地部材３０の基部３１の幅方向両外側面が、建築用パネル１０の縦辺端部端面１１に対面して、当接あるいは近接配置されている。
尚、中間目地部材３０の材質及び形成方法は、上記カバー目地部材２０と同様である。
また、中間目地部材３０の長手方向両端部に切欠を形成するように、中間目地部材３０の下方部が、図２（ｂ）及び図３（ｄ）に示すように、カバー目地受け部材２５の雇い実部２９，２９の外方への延出度及び／又は複数枚の建築用パネル１０からなる集合体の天井側端部及び床側端部にそれぞれ配設される後記する横見切り受け部材５５の雄実部５９の両内方への突出度に合わせて、その上方部よりも短尺となるように形成されている。
【００３８】
上記中間目地受け部材３５は、図２（ｃ）に示すように、上記カバー目地受け部材２５とその断面形状が略同寸同形状である。このように、各目地受け部材２５，３５を長さのみが異なるものとすることで、製造コストが低減できるとともに、保管時や運搬時、施工時等の取扱い性に優れたものとなる。
この中間目地受け部材３５は、上記同様の固着具５（図４（ｂ）参照）が止着されて内壁面１に固着される幅方向両側に向けてそれぞれ延出する固定板状部３７及び固定短片３６と、これら固定板状部３７及び固定短片３６から上方に向けて立設された基台部３８と、該基台部３８に凹設された上方に向けて開口する係合凹部３８ａと、該基台部３８の上端部に幅方向両側に向けて延出する雇い実部３９，３９とを有している。
上記係合凹部３８ａの上端部近傍両内側面には、上記中間目地部材３０の係合突部３３に設けられた突条３３ａが係合する凹条３８ｂが長手方向に沿って凹設されている。
【００３９】
上記基台部３８の上端部近傍の幅方向両外側面には、上記カバー目地受け部材２５の基台部２８と同様の逃げ凹所が形成されている。
また、上記基台部３８の下端部近傍の幅方向両外側面が、建築用パネル１０の縦辺端部端面１１に対面して、当接あるいは近接配置されている。
また、上記中間目地受け部材３５の雇い実部３９，３９が、対向配置される建築用パネル１０のそれぞれ縦辺端部端面１１に形成された雌実部１３に嵌合される。
【００４０】
上記中間目地受け部材３５の基台部３８の下端部近傍の幅寸法は、前記中間目地部材３０の基部３１の幅寸法と略同寸法とされている。
この中間目地受け部材３５の基台部３８が、建築用パネル１０を後記するように内壁面１に取付施工する際に、内壁面１に固着されることで、建築用パネル１０を後記するように横方向に並設させる際の位置決め手段として機能する。また、それら横方向に並設された建築用パネル１０の縦辺端部端面１１間に形成される中間目地部材３０を挿入するための隙間を基台部３８の幅寸法で規定し、上記中間目地部材３０の基部３１とともに、該基台部３８が縦辺端部端面１１間に介在される目地部として機能する。
【００４１】
尚、中間目地受け部材３５の材質や形成方法は、上記カバー目地受け部材２５と同様である。
また、中間目地受け部材３５の長手方向に沿う長さは、図２（ｂ）及び図３（ｄ）に示すように、カバー目地受け部材２５の固定板状部２７及び固定短片２６の両外方側への延出度、及び／又は、複数枚の建築用パネル１０からなる集合体の天井側端部及び床側端部にそれぞれ配設される後記する横見切り受け部材５５の固定板状部５７の両内方側への延出度に合わせて、中間目地部材３０よりも短尺に形成されている。
【００４２】
上記したカバー目地部材２０の基部２１及びカバー目地受け部材２５の基台部２８の下端部近傍の幅寸法、中間目地部材３０の基部３１及び中間目地受け部材３５の基台部３８の下端部近傍の幅寸法は、形成する目地幅に応じて適宜、設定可能である。例えば、建築用パネル１０間に形成される目地幅を５ｍｍ程度としたい場合には、それらの幅寸法を５ｍｍ程度とすれば良い。
また、カバー目地部材２０の鍔部２２の延出幅も適宜、設定可能であり、建築用パネル１０及び中間目地部材３０の寸法誤差や取付誤差等を考慮して、１〜４ｍｍ程度としてもよい。
【００４３】
本実施形態では、上記したように、カバー目地受け部材２５と中間目地受け部材３５とは、その断面形状が略同寸同形状のものとされて長さのみが異なるものとされており、各基台部２８，３８の幅寸法は、上記各基部２１，３１の幅寸法と略同寸法とされている。従って、横方向に配置されるカバー目地部材２０によって形成される目地幅は、縦方向に配置される中間目地部材３０によって形成される目地幅よりも、カバー目地部材２０の鍔部２２の延出幅分、大きく形成されている。尚、横方向及び縦方向の目地幅が同幅となるように、中間目地受け部材３５の基台部３８及び中間目地部材３０の基部３１の幅寸法を、カバー目地部材２０の鍔部２２を含んだ目地幅と同寸法となるよう構成してもよい。
【００４４】
また、中間目地部材３０の内壁面１から手前側への高さは、中間目地受け部材３５に係合保持された状態で、内壁面１に固着された建築用パネル１０の少なくとも端部表面１１ａと略面一となるような高さとすることが好ましい。また、カバー目地部材２０の内壁面１から手前側への高さは、カバー目地受け部材２５に係合保持された状態で、上記中間目地部材３０の高さ及び建築用パネル１０の厚さに応じて、それらの端部表面１２ａ，３２ａに、上記カバー目地部材２０の鍔部２２の裏面が当接あるいは近接して対面配置されるような高さとすることが好ましい。
また、上記建築用パネル１０が不燃性パネルである場合は、建築用パネルの取付構造Ａを、全体として不燃性に優れたものとするために、カバー目地部材２０及び中間目地部材３０の材質を金属系材（アルミニウム材等）とすることが好ましい。また、この場合には、嵌合性を良好とするために、カバー目地受け部材２５及び中間目地受け部材３５の材質を上記したように、合成樹脂系材とすることが好ましい。
【００４５】
上記縦見切り部材４０は、図３（ａ）、（ｂ）に示すように、縦断面形状が一部開口略四角枠形状の基部４１と、該基部４１の上端部に内方（建築用パネル存在側）に向けて延出する突片部４２と、該基部４１の外方側側面に沿って下方に向けて延設された見切りカバー部４４と、該見切りカバー部４４の内方側で該基部４１の下端部から下方に向けて突設された係合突部４３とを有している。該係合突部４３の下端部には、後記する縦見切り受け部材４５の係合凹部４６ａの上端部に形成された絞り部と係合する突条が長手方向に沿って幅方向両側に向けて突設されている。
該縦見切り部材４０の長手方向に沿う長さは、縦方向に並設された建築用パネル１０の縦方向幅に応じて、適宜長さに設定されている。
【００４６】
該縦見切り部材４０の基部４１が立ち上がり壁部を構成し、その内方側側面が、建築用パネル１０のうちの最外方に位置する建築用パネル１０（横方向に並設された建築用パネルのうちの最左方及び最右方に位置する建築用パネル）のそれぞれ外方側の縦辺端部端面１１及びカバー目地部材２０の両端部端面２４に対面して、当接あるいは近接配置されている。
また、上記突片部４２の裏面が上記最外方に位置する建築用パネル１０の縦辺端部表面１１ａ及びカバー目地部材２０の両端部表面２４ａに対面して、当接あるいは近接配置されている。
また、上記縦見切り部材４０の見切りカバー部４４によって、後記する縦見切り受け部材４５の固着具受部４８がカバーされる。
尚、縦見切り部材４０の材質及び形成方法は、上記カバー目地部材２０と同様である。
【００４７】
上記縦見切り受け部材４５は、図３（ａ）、（ｂ）に示すように、基台部４６と、上記同様の固着具５（図４（ａ）参照）が止着されて内壁面１にそれぞれ固着される上記基台部４６の下端部から内方に向けて延設された固定板状部４７及び上記基台部４６の下端部から外方に向けて僅かに突設された固着具受部４８と、該基台部４６に凹設された上方に向けて開口する係合凹部４６ａと、該基台部４６の上端部に内方に向けて突設された雄実部４９とを有している。該係合凹部４６ａの上端部には、縦見切り部材４０の係合突部４３の下端部に形成された突条と係合する絞り部が形成されている。
該縦見切り受け部材４５の長手方向に沿う長さは、上記縦見切り部材４０と略同長さとされている。
【００４８】
上記縦見切り受け部材４５の基台部４６が、上記縦見切り部材４０の基部４１とともに、立ち上がり壁部を構成し、その内方側側面が、建築用パネル１０のうちの最外方に位置する建築用パネル１０のそれぞれ外方側の縦辺端部端面１１及びカバー目地部材２０の両端部端面２４に対面して、当接あるいは近接配置されている。
また、上記縦見切り受け部材４５の雄実部４９が、最外方に位置する建築用パネル１０のそれぞれ縦辺端部端面１１に形成された雌実部１３に嵌合される。
尚、縦見切り受け部材４５の材質及び形成方法は、上記カバー目地受け部材２５と同様である。
また、縦見切り部材４０の内壁面１から手前側への高さは、縦見切り受け部材４５に係合保持された状態で、上記カバー目地部材２０の高さに応じて、該カバー目地部材２０の端部表面２４ａに、縦見切り部材４０の突片部４２の裏面が当接あるいは近接して対面配置されるような高さとすることが好ましい。
【００４９】
上記横見切り部材５０及び横見切り受け部材５５は、図３（ｃ）、（ｄ）に示すように、本実施形態では、縦見切り部材４０及び縦見切り受け部材４５と長手方向に沿う長さのみが異なり、他の断面形状、材質及び形成方法は、上記した縦見切り部材４０及び縦見切り受け部材４５とそれぞれ同様であるので、縦見切り部材４０及び縦見切り受け部材４５の符号をそれぞれ５０番台に代えた符号を付して、それらの説明を省略する。
【００５０】
尚、上記カバー目地受け部材２５及び上記中間目地受け部材３５のそれぞれ固定板状部２７，３７及び固定短片２６，３６の厚さ、及び上記各見切り受け部材４５，５５の各固定板状部４７，５７の厚さは、１ｍｍ程度〜２ｍｍ程度の薄板状とすることが好ましい。これにより、建築用パネル１０を接着剤４で内壁面１に接着する際の接着剤４の塗布量を低減できるとともに接着剤４の塗布工程も簡易なものとなる。
【００５１】
上記コーナーキャップ６は、図３（ａ）〜（ｄ）及び図７（ｂ）に示すように、正面視略Ｌ字状の上板６ａと、該上板６ａのＬ字外側辺からそれぞれ下方に向けて垂設された側板６ｂ，６ｂとから構成されており、上記同様の接着剤等で縦見切り部材４０及び／又は横見切り部材５０の外方側側面に接着されて、これら縦見切り部材４０及び横見切り部材５０の突合せ部をカバーしている。尚、該コーナーキャップ６は、接着剤等で接着せずに、着脱可能な構成としてもよい。
【００５２】
次に、上記構成とされた各部材で構成される本実施形態に係る建築用パネルの取付構造Ａの施工手順の一例について、図４〜図７に基づいて説明する。
図４〜図７は、いずれも同施工手順を説明するための説明図であり、それぞれ概略正面全体図と、該全体図の一点鎖線内を概略的に拡大して示す正面図である。
尚、各図において示す符号２７ａ、３７ａ、４７ａ、５７ａは、カバー目地受け部材２５の固定板状部２７、中間目地受け部材３５の固定板状部３７、縦見切り受け部材４５の固定板状部４７、横見切り受け部材５５の固定板状部５７にそれぞれ設けられたビス等の固着具５の止着箇所の目安として設けられた目印溝である。
また、図例では、６枚の建築用パネル１０を内壁面１に取付施工する例を示している。
さらに、固着具５は、図例のようなビスに限られず、上記したような釘（フィニッシュネイル、ステイプル等）等を用いて固着するようにしてもよい。あるいは、これらを併用するようにしてもよい。
【００５３】
まず、図４（ａ）に示すように、６枚の建築用パネル１０の最外周端部に沿って配設される各見切り受け部材４５，５５のうち左側端部の縦見切り受け部材４５と、床側端部の横見切り受け部材５５とをそれぞれ内壁面１に固着する。この際、各見切り受け部材４５，５５のそれぞれ固定板状部４７，５７の目印溝４７ａ，５７ａの適所にビス等の固着具５を止着して、内壁面１に固着する。
図例では、縦見切り受け部材４５の床側端部内方側に、横見切り受け部材５５の一端面が突合せられた状態を示している。
【００５４】
次いで、上記のように各見切り受け部材４５，５５が内壁面１に固着されて位置決めがなされた状態で、図４（ｂ）に示すように、６枚の建築用パネル１０のうち最左方側かつ最床面側に配置される建築用パネル１０を、その裏面に接着剤４を塗布して、内壁面１に固着する。この際、建築用パネル１０の左側縦辺端部端面１１に設けられた雌実部１３及び床側横辺端部端面１２に設けられた雌実部１３のそれぞれを、各見切り受け部材４５，５５の雄実部４９，５９にそれぞれ嵌合させて固着する（図３（ａ）、（ｃ）参照）。
【００５５】
上記のように建築用パネル１０を固着させた状態で、建築用パネル１０の右側縦辺端部端面１１に沿わせるようにして、中間目地受け部材３５を内壁面１に固着する。この際、中間目地受け部材３５の左側雇い実部３９を建築用パネル１０の右側縦辺端部端面１１に設けられた雌実部１３に嵌合させるとともに、固定短片３６を建築用パネル１０の裏面と内壁面１との間に挿入する（図２（ｃ）参照）。
また、中間目地受け部材３５の固定板状部３７の目印溝３７ａの適所にビス等の固着具５を止着して、中間目地受け部材３５を内壁面１に固着する。
【００５６】
次いで、図５（ａ）に示すように、上記のように固着された中間目地受け部材３５の右側雇い実部３９に、左側縦辺端部端面１１の雌実部１３を嵌合させるとともに、床側横見切り受け部材５５の雄実部５９に、床側横辺端部端面１２の雌実部１３を嵌合させて、二枚目の建築用パネル１０を接着剤４で内壁面１に固着する（図２（ｃ）及び図３（ｃ）参照）。このように横方向に複数枚の建築用パネル１０が縦辺端部端面１１間に中間目地受け部材３５の基台部３８を介在させて固着された状態で、これら建築用パネル１０の天井側横辺端部端面１２に沿わせるようにして、カバー目地受け部材２５を内壁面１に固着する。この際、カバー目地受け部材２５の床側雇い実部２９を、建築用パネル１０の天井側横辺端部端面１２に設けられたそれぞれの雌実部１３に嵌合させるとともに、固定短片２６を建築用パネル１０のそれぞれの裏面と内壁面１との間に挿入する（図２（ａ）参照）。
また、カバー目地受け部材２５の固定板状部２７の目印溝２７ａの適所にビス等の固着具５を止着して、カバー目地受け部材２５を内壁面１に固着する。
【００５７】
次いで、上記のように横方向に並設された複数枚（図例では２枚）の建築用パネル１０の天井側に、左側から順に、建築用パネル１０を取付施工する。まず、左側（３枚目）の建築用パネル１０の左側縦辺端部端面１１及び床側横辺端部端面１２の雌実部１３のそれぞれを、左側縦見切り受け部材４５の雄実部４９及びカバー目地受け部材２５の天井側雇い実部２９にそれぞれ嵌合させて、上記同様に接着剤４で固着する（図２（ａ）及び図３（ａ）参照）。次いで、上記同様にして建築用パネル１０の右側縦辺端部端面１１に沿わせるようにして、中間目地受け部材３５を固着し、４枚目の建築用パネル１０をその右側に固着する。この状態では、図５（ｂ）に示すように、それぞれの縦辺端部端面１１間に中間目地受け部材３５の基台部３８を介在させて横方向に並設された複数枚の建築用パネル１０同士の間ｓｐに、カバー目地受け部材２５の基台部２８が横方向に沿って介在され、それら複数枚の建築用パネル１０同士が該基台部２８を挟んで縦方向に沿って対向配置された状態となる。
【００５８】
上記のように左側かつ床側から順に各建築用パネル１０を取付施工するとともに、それらの縦辺端部端面１１間に中間目地受け部材３５の基台部３８を介在させ、また、それら中間目地受け部材３５の基台部３８を介在させて横方向に並設された複数枚の建築用パネル１０の横辺端部端面１２間にカバー目地受け部材２５の基台部２８を介在させて縦横にそれぞれ並列配置された複数枚（図例では６枚）の建築用パネル１０の集合体が形成される。さらに、図６（ａ）に示すように、天井側端部の横見切り受け部材５５及び右側端部の縦見切り受け部材４５をそれぞれ内壁面１に固着する。この際、各見切り受け部材４５，５５の固定板状部４７，５７は、建築用パネル１０の裏面と内壁面１との間に挿入されて固着具５が止着できないため、外方側に位置する各固着具受部４８，５８（図３（ａ）〜（ｄ）参照）に対して固着具５を止着させるようにしてもよい。
また、中間目地部材３０の係合突部３３を、中間目地受け部材３５の係合凹部３８ａに嵌め入れて、図６（ａ）に示すように、中間目地部材３０を取付ける（図２（ｃ）参照）。この状態では、それぞれの縦辺端部端面１１間に中間目地部材３０の基部３１を介在させて横方向に並設された複数枚の建築用パネル１０（＃１），１０（＃２）同士の間ｓｐに、カバー目地受け部材２５の基台部２８が介在され、それら複数枚の建築用パネル１０（＃１），１０（＃２）同士が該基台部２８を挟んで縦方向に沿って対向配置された状態となる。
【００５９】
次いで、複数枚の建築用パネル１０（＃１），１０（＃２）同士の間ｓｐにカバー目地部材２０の基部２１を挿入するとともに、カバー目地受け部材２５の係合凹部２８ａにカバー目地部材２０の係合突部２３を嵌め入れて、図６（ｂ）に示すように、カバー目地部材２０を取付ける（図２（ａ）参照）。この状態では、対向配置された建築用パネル１０（＃１），１０（＃２）同士の間ｓｐに、カバー目地部材２０の基部２１が介在され、それら複数枚の建築用パネル１０（＃１），１０（＃２）同士が該基部２１を挟んで縦方向に沿って対向配置された状態となる。
また、これら複数枚の建築用パネル１０（＃１），１０（＃２）及び中間目地部材３０のそれぞれ基部２１側の端部表面１２ａ，３２ａが、カバー目地部材２０の鍔部２２によって隠されている（図１の一点鎖線内拡大図参照）。
【００６０】
上記のように、建築用パネル１０、中間目地部材３０及カバー目地部材２０が取付施工された状態で、図７（ａ）に示すように、各見切り受け部材４５，５５の各係合凹部４６ａ，５６ａに、各見切り部材４０，５０の各係合突部４３，５３を嵌め入れて、各見切り部材４０，５０を取付ける（図３（ａ）〜（ｄ）参照）。この状態では、各見切り受け部材４５，５５の固着具受部４８，５８が見切りカバー部４４，５４によって、覆われるので、固着具５が固着具受部４８，５８に止着されている場合にも固着具５が表面側に露出するようなことがなく、意匠性に優れたものとなる。
次いで、図７（ｂ）に示すように、各見切り部材４０，５０のそれぞれ四隅の突合せ部に、該突合せ部を覆うように、コーナーキャップ６をそれぞれ固着する。
尚、上記施工手順は、一例に過ぎず、各部材の機能を阻害しない限りにおいて、別手順でなされるようにしてもよい。
【００６１】
上記のように本実施形態に係る建築用パネルの取付構造Ａを用いて取付施工された建築用パネル１０は、例えば、その一部に不良があったような場合や模様替え等をしたい場合にも、カバー目地部材２０、中間目地部材３０及び各見切り部材４０，５０を脱離させることで、建築用パネル１０を容易に脱離できるとともに、それらカバー目地部材２０、中間目地部材３０及び各見切り部材４０，５０を、建築用パネル１０の交換後に再利用できる。尚、このように、建築用パネル１０を内壁面１から脱離させる際には、雌実部１３を形成する内壁面１側の突部を破断して脱離させればよく、また、新たに取付施工する建築用パネル１０は、該突部を破断して、あるいは該突部を有さないものとすればよい。また、本実施形態では、建築用パネル１０の脱離を容易とすべく、カバー目地部材２０及び中間目地部材３０を、いずれも各目地受け部材２５，３５に対して着脱可能な構成としたが、カバー目地部材２０のみを着脱可能な構成としてもよい。
【００６２】
以上のように、本実施形態に係る建築用パネルの取付構造Ａによれば、カバー目地部材２０と、中間目地部材３０とを用いて、建築用パネル１０間に目地を形成するようにしているので、湿式施工のものと比べて、施工工程の簡略化が図れる。
また、建築用パネル１０の縦辺端部端面１１間には、上記のように中間目地受け部材３５の基台部３８を介在させるようにしているので、縦辺端部端面１１間に、中間目地受け部材３５を介在させて順次、建築用パネル１０を横方向に沿って施工することで、建築用パネル１０の位置決めが容易に行えるとともに、建築用パネル１０の縦辺端部端面１１と中間目地部材３０との間に、隙間等が形成されることがない。
【００６３】
さらに、上記のようにカバー目地部材２０の基部２１を挟んで縦方向に沿って対向配置された複数枚の建築用パネル１０（＃１），１０（＃２）のそれぞれ基部２１側の横辺端部表面１２ａ，１２ａ、及び対向配置された中間目地部材３０の基部２１側の端部表面３２ａ，３２ａが、それぞれカバー目地部材２０の鍔部２２によって隠されるので、カバー目地部材２０と中間目地部材３０とで形成された目地の意匠性を高めることができる。すなわち、カバー目地部材２０の基部２１と建築用パネル１０の基部２１側の横辺端部端面１２との間に、建築用パネル１０の寸法誤差や取付誤差等によって隙間等が形成された場合にも、これら対向配置された建築用パネル１０（＃１），１０（＃２）のそれぞれ基部２１側の横辺端部表面１２ａ，１２ａがカバー目地部材２０の鍔部２２によって隠されてカバーされるので、このような隙間が目立つことがない。
【００６４】
また、本実施形態のように、複数枚の建築用パネル１０（＃１），１０（＃２）同士のそれぞれ中間目地部材３０を縦方向に沿って略同一直線上に配置して、カバー目地部材２０と中間目地部材３０とで格子状に目地を形成するようにした場合にも、目地の交差部における意匠性を高めることができる。すなわち、縦辺端部端面１１間に介在される中間目地部材３０の基部２１側の端部端面３２と建築用パネル１０の基部２１側の横辺端部端面１２との間に、例えば図１の一点鎖線内拡大図の破断部に示すような位置ズレ等が生じている場合にも、これら端部の表面１２ａ，３２ａがカバー目地部材２０の鍔部２２によって、隠されるため、そのような中間目地部材３０と建築用パネル１０との位置ズレが目立たず、よって、意匠性に優れたものとなる。また、カバー目地部材２０の鍔部２２によって、対向配置される中間目地部材３０の端部表面３２ａが隠されるので、これら対向配置された中間目地部材３０同士の縦方向に位置ズレ等があった場合にも、そのような位置ズレを外観上、軽減することができ、意匠性を高めることができる。
さらに、中間目地部材３０の端部端面３２がカバー目地部材２０の鍔部２２によって隠されて露出しないため、例えば、アルミ材等で中間目地部材３０が形成されている場合に、端部縁部が鋭く尖っていわゆるシャープエッジ状となっている場合にも、中間目地部材３０の端部端面３２がカバー目地部材２０の鍔部２２によって隠されて露出しないため、引っ掛かるようなことを防止できる。換言すれば、端部縁部を引っ掛かり等の防止のために面取り等する必要がない。
【００６５】
さらに、本実施形態では、カバー目地部材２０を、縦方向に沿って対向配置させた複数枚の建築用パネル１０（＃１），１０（＃２）同士の横辺端部端面１２間の全長に亙って配設される長さのものとしているので、一方向（図例では横方向）の目地が通ったような外観となり、意匠性をより高めることができる。
また、カバー目地部材２０を上記のような長さとすることで、横方向に沿って中間目地部材３０を介在させて並設された建築用パネル１０及び中間目地部材３０の縦方向に沿う取付誤差や寸法誤差等による位置ズレや隙間を、横方向に沿ってそれぞれ配置されるカバー目地部材２０によって、該カバー目地部材２０が配置される毎にリセットでき、それら位置ズレや隙間が累積しないため、縦方向における位置ズレや隙間が大きくなり難い。
【００６６】
また、本実施形態では、カバー目地部材２０及び中間目地部材３０は、それぞれ内壁面１に固着されたカバー目地受け部材２５及び中間目地受け部材３５に対して着脱可能に係合保持される構成としているので、カバー目地部材２０及び中間目地部材３０の施工工程の簡略化が図れる。
さらに、カバー目地部材２０及び中間目地部材３０のそれぞれと、各目地受け部材２５，３５とを別部材としているので、表面側に露出しない各目地受け部材２５，３５は、単色のものとし、カバー目地部材２０及び中間目地部材３０を種々用意することで、趣向に応じたカバー目地部材２０及び中間目地部材３０を低コストで提供できる。
また、カバー目地部材２０及び中間目地部材３０のそれぞれと、各目地受け部材２５，３５とを別部材としているので、例えば、異なる厚さの建築用パネルに対して施工されるような場合にも、いずれか一方を該厚さに応じて種々揃えることで、一方の部材は同じものとでき、汎用性に優れたものとなる。
【００６７】
さらに、本実施形態では、上記のように縦横にそれぞれ並列配置された複数枚の建築用パネル１０の集合体の最外周端部に沿って四周に配設される各見切り部材４０，５０を備えているので、壁面や天井面等に部分的に建築用パネル１０を施工する場合に、それら施工された建築用パネル１０の最外周端部が各見切り部材４０，５０によって覆われるので、意匠性に優れたものとなる。また、上記のように、カバー目地部材２０及び中間目地部材３０のそれぞれ最外方に位置する端部表面２４ａ，３２ａと、建築用パネルの最外周端部表面１１ａ，１２ａとが各見切り部材４０，５０の突片部４２，５２によって隠されるので、これら端部において、取付誤差や寸法誤差等による位置ズレや隙間等が形成された場合にも、それらが目立つことがなく、意匠性に優れたものとなる。また、カバー目地部材２０及び中間目地部材３０のそれぞれ最外方に位置する端部端面２４，３２が各見切り部材４０，５０の突片部４２，５２によって隠されて露出しないため、上記同様、端部縁部がシャープエッジとなっているような場合にも引っ掛かるようなことを防止できる。
【００６８】
また、各見切り部材４０，５０のそれぞれと、各見切り受け部材４５，５５とを別部材としているので、例えば、異なる厚さの建築用パネルに対して施工されるような場合にも、いずれか一方を該厚さに応じて種々揃えることで、一方の部材は同じものとでき、汎用性に優れたものとなる。
さらに、本実施形態では、各目地受け部材２５，３５のそれぞれに、建築用パネル１０の雌実部１３に嵌合する雇い実部２９，３９を設けるとともに、各見切り受け部材４５，５５のそれぞれに、建築用パネル１０の雌実部１３に嵌合する雄実部４９，５９を設けているので、建築用パネル１０の内壁面１に対する取付強度を高めることができる。また、これら雇い実部２９，３９及び雄実部４９，５９が建築用パネル１０の雌実部１３に嵌合することによって建築用パネル１０が仮保持されるので、接着剤４が乾燥硬化するまでの仮固定手段としても機能する。
【００６９】
尚、本実施形態では、カバー目地部材２０及びカバー目地受け部材２５をそれぞれ横方向に配置し、中間目地部材３０及び中間目地受け部材３５をそれぞれ縦方向に配置する例を示しているが、それぞれ逆に配置するようにしてもよい。
また、縦横にそれぞれ並設された建築用パネルの枚数は図例のものに限られず、少なくとも４枚以上の建築用パネルを取付施工するようにすれば良い。
さらに、本実施形態では、カバー目地部材２０と中間目地部材３０とで、格子状に目地を形成したものを例示しているが、複数枚の建築用パネル１０（＃１），１０（＃２）同士のそれぞれ中間目地部材３０を、縦方向に沿って互い違いになるように、異なる直線上に配置するようにして、いわゆる馬目地状（馬踏み目地状）となるようにしてもよい。この場合において、縦横にそれぞれ並列配置された複数枚の建築用パネル１０の集合体の最外周端部に沿って各見切り部材４０，５０を四周に配設する場合には、最左方及び最右方に配置される建築用パネル１０の左右幅をそれぞれ調整するようにすればよい。
さらにまた、本実施形態では、縦横にそれぞれ並設された複数枚の建築用パネル１０の最外周端部に沿って四周に各見切り部材４０，５０を配設するようにしているが、全面施工する場合等においては、例えば、四周端部を廻り縁や巾木、出隅ジョイナー、入隅ジョイナー等で見切るようにしてもよい。
【００７０】
また、本実施形態では、カバー目地部材２０を、縦方向に沿って対向配置させた複数枚の建築用パネル１０（＃１），１０（＃２）同士の横辺端部端面１２間の全長に亙って配設される長さのものとしているが、複数に分割された短尺のカバー目地部材２０を、縦方向に沿って対向配置させた複数枚の建築用パネル１０（＃１），１０（＃２）同士の横辺端部端面１２間に沿って、取付けるようにしても良い。
さらに、本実施形態では、各目地部材２０，３０及び各見切り部材４０，５０に、係合突部２３，３３，４３，５３をそれぞれ設け、各目地受け部材２５，３５及び各見切り受け部材４５，５５に、係合凹部２８ａ，３８ａ，４６ａ，５６ａを設けた例を示しているが、これらを逆に設けるようにしてもよい。
また、これら係合突部２３，３３，４３，５３及び係合凹部２８ａ，３８ａ，４６ａ，５６ａの形状は、図例のものに限られず、着脱可能に係合可能な形状とすればよい。
さらに、本実施形態では、建築用パネル１０の着脱を容易とするために、中間目地部材３０を中間目地受け部材３５に対して着脱可能な構成としているが、中間目地部材３０を、着脱不能な構成あるいは、中間目地受け部材３５と一体的に形成するような構成としてもよい。
【００７１】
次に、本発明に係る他の実施の形態について、図面を参照しながら説明する。
図８（ａ）〜（ｄ）は、いずれも第２実施形態に係る建築用パネルの取付構造を説明するための説明図であり、（ａ）は、図２（ａ）に対応させた概略断面図、（ｂ）は、図２（ｂ）に対応させた概略断面図、（ｃ）は、図２（ｃ）に対応させた概略断面図、（ｄ）は、図３（ａ）に対応させた概略断面図である。
尚、第１実施形態との相違点は、主に、建築用パネル、カバー目地受け部材、中間目地受け部材及び各見切り受け部材の構成であり、同様の構成及び施工手順については、同一符合を付して、その説明を省略あるいは簡略に説明する。
【００７２】
本実施形態に係る建築用パネルの取付構造Ｂ（図１参照）は、取付施工された状態では、上記第１実施形態と外観上、同様である。
この建築用パネルの取付構造Ｂを構成する建築用パネル１０Ａは、図８（ａ）、（ｃ）に示すように、縦辺端部端面１１及び横辺端部端面１２に、雌実部が設けられていない点が、上記第１実施形態の建築用パネル１０と異なる。
また、図８（ａ）〜（ｃ）に示すように、カバー目地受け部材２５Ａ及び中間目地受け部材３５Ａに、それぞれ雇い実部が設けられていない点が、上記第１実施形態のカバー目地受け部材２５及び中間目地受け部材３５とそれぞれ異なる。
さらに、図８（ｄ）に示すように、縦見切り受け部材４５Ａに、雄実部が設けられていない点が、上記第１実施形態の縦見切り受け部材４５と異なる。尚、図示省略しているが、本実施形態に係る横見切り受け部材にも雄実部が設けられていない。
また、本実施形態に係るカバー目地部材２０及び中間目地部材３０のそれぞれ長手方向両端部には、カバー目地受け部材及び中間目地受け部材のそれぞれ雇い実部、及び各見切り受け部材の雄実部が設けられていないため、上記第１実施形態で説明した上記切欠は、形成されていない。
【００７３】
上記構成とされた各部材で構成される本実施形態に係る建築用パネルの取付構造Ｂの施工手順は、カバー目地受け部材及び中間目地受け部材のそれぞれ雇い実部、及び各見切り受け部材の雄実部を、それぞれ建築用パネルの雌実部に嵌合させない点以外は、上記第１実施形態で説明した施工手順と同様である。
以上のように、本実施形態に係る建築用パネルの取付構造Ｂによれば、上記第１実施形態で説明した建築用パネルの雌実部に、各雇い実部及び各雄実部を嵌合させることによる効果を除いて、同様の効果を奏するとともに、建築用パネル１０Ａを交換等したい場合においては、その着脱が容易に行える建築用パネルの取付構造Ｂとなる。
【００７４】
次に、本発明に係る更に他の実施の形態について、図面を参照しながら説明する。
図９（ａ）〜（ｄ）は、いずれも第３実施形態に係る建築用パネルの取付構造を説明するための説明図であり、（ａ）は、図２（ａ）に対応させた概略断面図、（ｂ）は、図２（ｂ）に対応させた概略断面図、（ｃ）は、図２（ｃ）に対応させた概略断面図、（ｄ）は、図３（ａ）に対応させた概略断面図である。
尚、第１実施形態及び第２実施形態との相違点は、主に、カバー目地部材、中間目地部材及び各見切り部材の構成であり、同様の構成及び施工手順については、同一符合を付して、その説明を省略あるいは簡略に説明する。
【００７５】
本実施形態に係る建築用パネルの取付構造Ｃ（図１参照）は、取付施工された状態では、上記第１実施形態と外観上、各見切り部材の外観を除いて、略同様である。
この建築用パネルの取付構造Ｃを構成するカバー目地部材２０Ａ及び中間目地部材３０Ａは、それぞれ図９（ａ）〜（ｃ）に示すように、各目地受け部材に着脱可能とされておらず、目地受け部材を備えていない点が、上記第１実施形態及び第２実施形態のカバー目地部材２０及び中間目地部材３０と大きく異なる。
また、この建築用パネルの取付構造Ｃを構成する縦見切り部材４０Ａは、縦見切り受け部材に着脱可能とされておらず、見切り受け部材を備えていない点が、上記第１実施形態及び第２実施形態の各見切り部材４０，５０と大きく異なる。
【００７６】
上記カバー目地部材２０Ａは、断面略矩形状の基部２１Ａと、該基部２１Ａの上端部に幅方向両側に向けて延出する鍔部２２とを備えた構成とされている。換言すれば、該基部２１Ａが、上記第１実施形態及び第２実施形態のカバー目地受け部材２５の基台部２８及びカバー目地部材２０の基部２１として機能する。
また、上記中間目地部材３０Ａは、断面略矩形状の基部３１Ａから構成されており、該基部３１Ａが、上記第１実施形態及び第２実施形態の中間目地受け部材３５の基台部３８及び中間目地部材３０の基部３１として機能する。
【００７７】
また、上記縦見切り部材４０Ａは、断面が一部切欠略矩形状とされ、立ち上がり壁部を構成する見切り基部４１Ａと、該切欠によって見切り基部４１Ａの下端部外方に形成された固着具受部４８Ａと、該見切り基部４１Ａの下端部から内方に向けて延設された固定板状部４７Ａと、該見切り基部４１Ａの上端部から内方に向けて突設された突片部４２とを有している。換言すれば、該見切り基台部４１Ａが、上記第１実施形態及び第２実施形態の各見切り受け部材４５，５５の基台部４６，５６及び、固着具受部をカバーする機能は有さないが各見切り部材４０，５０の基部４１，５１として機能する。尚、図９では、図示省略しているが、本実施形態に係る横見切り受け部材５０Ａ（図１参照）の構成も縦見切り部材４０Ａと同様である。
【００７８】
上記構成とされた各部材で構成される本実施形態に係る建築用パネルの取付構造Ｃの施工手順は、左側端部の縦見切り部材４０Ａ及び床側端部の横見切り部材５０Ａを内壁面１に固着させ、上記同様、左側かつ床側から順に建築用パネル１０Ａを内壁面１に固着させる。この際、横方向に並設される建築用パネル１０Ａの縦辺端部端面１１間に中間目地部材３０Ａを直接、接着剤４等で内壁面１に固着させて介在させる。これにより横方向に並設させた複数枚の建築用パネル１０Ａ（＃２）を形成する（図１参照）。
次いで、この複数枚の建築用パネル１０Ａ（＃２）の天井側横辺端部端面１２に沿うようにして、カバー目地部材２０Ａを直接、接着剤４等で内壁面１に固着させる。さらに、固着されたカバー目地部材２０Ａの基部２１Ａの天井側側面に沿って建築用パネル１０Ａを前記同様、左から順に、縦辺端部端面１１間に中間目地部材３０Ａを介在させて内壁面１に固着させて、横方向に並設させた複数枚の建築用パネル１０Ａ（＃１）を形成する（図１参照）。
この状態では、複数枚の建築用パネル１０Ａ（＃１），１０Ａ（＃２）同士の間ｓｐに、カバー目地部材２０Ａの基部２１Ａが介在され、それら複数枚の建築用パネル１０Ａ（＃１），１０Ａ（＃２）同士が該基部２１Ａを挟んで縦方向に沿って対向配置された状態となる。
これらを繰り返して、複数枚の建築用パネル１０Ａからなる集合体を形成し、右側端部の縦見切り部材４０Ａ及び天井側端部の横見切り部材５０Ａを内壁面１に固着させ、さらに、四隅に上記同様にして、コーナーキャップ６を取付けて、図１のように、複数枚の建築用パネル１０Ａが内壁面１に取付施工される。
【００７９】
以上のように、本実施形態に係る建築用パネルの取付構造Ｃによれば、各目地部材２０Ａ，３０Ａ及び各見切り部材４０Ａ，５０Ａを容易には着脱できないため、建築用パネル１０Ａを交換等したい場合には、それらを破壊する必要が生じる場合があるが、上記したように、部材点数が少ないため、更なる施工工程の簡略化が図れる。
尚、本実施形態では、カバー目地部材２０Ａ及び中間目地部材３０Ａを、それぞれ接着剤４で内壁面１に固着する例を示したが、上記第１実施形態及び第２実施形態のカバー目地受け部材２５及び中間目地受け部材３５が有する固定短片２６，３６及び固定板状部２７，３７のような固着部を、カバー目地部材２０Ａ及び中間目地部材３０Ａのそれぞれ下端部に設けて、上記したような固着具５で内壁面１に固着するようにしてもよい。
【図面の簡単な説明】
【００８０】
【図１】本発明に係る建築用パネルの取付構造の一実施形態を用いた建築用パネルの施工状態を示す概略正面全体図と、該全体図の一点鎖線内を概略的に拡大して示す一部破断正面図である。
【図２】（ａ）〜（ｃ）は、いずれも同実施形態に係る建築用パネルの取付構造を説明するための説明図であり、（ａ）は、図１におけるＸ−Ｘ線矢視概略断面図、（ｂ）は、図１におけるＹ−Ｙ線矢視概略断面図、（ｃ）は、図１におけるＺ−Ｚ線矢視概略断面図である。
【図３】（ａ）〜（ｄ）は、いずれも同実施形態に係る建築用パネルの取付構造を説明するための説明図であり、（ａ）は、図１におけるＶ１−Ｖ１線矢視概略断面図、（ｂ）は、図１におけるＶ２−Ｖ２線矢視概略断面図、（ｃ）は、図１におけるＷ１−Ｗ１線矢視概略断面図、（ｄ）は、図１におけるＷ２−Ｗ２線矢視概略断面図である。
【図４】（ａ）、（ｂ）は、いずれも同実施形態に係る建築用パネルの取付構造の施工手順の一例を説明するための説明図である。
【図５】（ａ）、（ｂ）は、いずれも同施工手順を説明するための説明図である。
【図６】（ａ）、（ｂ）は、いずれも同施工手順を説明するための説明図である。
【図７】（ａ）、（ｂ）は、いずれも同施工手順を説明するための説明図である。
【図８】（ａ）〜（ｄ）は、いずれも本発明に係る建築用パネルの取付構造の他の実施形態を説明するための説明図であり、（ａ）は、図２（ａ）に対応させた概略断面図、（ｂ）は、図２（ｂ）に対応させた概略断面図、（ｃ）は、図２（ｃ）に対応させた概略断面図、（ｄ）は、図３（ａ）に対応させた概略断面図である。
【図９】（ａ）〜（ｄ）は、いずれも本発明に係る建築用パネルの取付構造の更に他の実施形態を説明するための説明図であり、（ａ）は、図２（ａ）に対応させた概略断面図、（ｂ）は、図２（ｂ）に対応させた概略断面図、（ｃ）は、図２（ｃ）に対応させた概略断面図、（ｄ）は、図３（ａ）に対応させた概略断面図である。
【符号の説明】
【００８１】
１                          内壁面（施工下地）
２                          天井面（施工下地）
１０，１０Ａ                建築用パネル
１０（＃１），１０（＃２）   中間目地部材を介在させて一方向に沿って配置された複
数枚の建築用パネル
１１                        建築用パネルの縦辺端部端面（縦辺、一側辺）
１１ａ                      建築用パネルの縦辺端部表面（端部表面）
１２ａ                      建築用パネルの横辺端部表面（端部表面）
２０，２０Ａ                カバー目地部材
２１，２１Ａ                基部
２２                        鍔部
２３                        係合突部（係合部）
２４ａ                      カバー目地部材の端部表面
２５，２５Ａ                カバー目地受け部材（目地受け部材）
３０，３０Ａ                中間目地部材
３２ａ                      中間目地部材の端部表面
４０，４０Ａ                縦見切り部材（見切り部材）
４１                        縦見切り部材の基部（立ち上がり壁部）
４１Ａ                      立ち上がり壁部
４２                        突片部
４３                        係合突部（係合部）
４５，４５Ａ                縦見切り受け部材（見切り受け部材）
４６                        縦見切り受け部材の基台部（立ち上がり壁部）
５０，５０Ａ                横見切り部材（見切り部材）
５１                        横見切り部材の基部（立ち上がり壁部）
５２                        突片部
５３                        係合突部（係合部）
５５                        横見切り受け部材（見切り受け部材）
５６                        縦見切り受け部材の基台部（立ち上がり壁部）
Ａ，Ｂ，Ｃ                  建築用パネルの取付構造
ｓｐ                        複数枚の建築用パネル同士の間
【図１】
0004916026.tif 000002
【図２】
0004916026.tif 000003
【図３】
0004916026.tif 000004
【図４】
0004916026.tif 000005
【図５】
0004916026.tif 000006
【図６】
0004916026.tif 000007
【図７】
0004916026.tif 000008
【図８】
0004916026.tif 000009
【図９】
0004916026.tif 000010